(57)【要約】【課題】携帯端末装置に応じた遠隔制御を行うことが可能な遠隔制御サーバを提供する。【解決手段】遠隔制御開始時間になるとトリガ情報制御部４２１がトリガ情報を生成し携帯電話機２に送信する。携帯電話機２ではトリガ情報を受信すると、自機の電池残量情報を状態情報取得部２４が取得し、取得した電池残量情報を遠隔制御サーバ４に送信する。管理内容決定部４２２は、受信した電池残量情報と電池情報データベース４３に記録されているデータとに基づいて携帯電話機２の制御内容を決定し、携帯電話機設定データ記録部４５の設定データを更新する。設定データ更新後、遠隔制御実行部４２３が携帯電話機２の設定データを更新するための制御信号を生成し、携帯電話機２に送信する。携帯電話機２では、制御部２２により設定データが更新され、更新後の設定データに基づいて、アプリケーションプログラムが実行される。【選択図】図１
2004246811.tif 000002
【特許請求の範囲】
【請求項１】
携帯端末装置の遠隔制御を所定タイミング毎に行う遠隔制御サーバであって、
前記携帯端末装置の遠隔制御を開始するためのトリガ情報を前記所定タイミング毎に前記携帯端末装置に送信する送信手段と、
前記トリガ情報に応じて前記携帯端末装置から送信されてきた前記携帯端末装置の状態情報を受信する受信手段と、
前記受信手段によって受信した状態情報に基づいて、前記携帯端末装置の遠隔制御を行う制御手段とを備える遠隔制御サーバ。
【請求項２】
請求項１記載の遠隔制御サーバであって、
前記状態情報は、前記携帯端末装置の電池残量情報を含み、
前記電池残量情報に基づいて、前記携帯端末装置で実行されるアプリケーションプログラムの実行時間を決定する制御内容決定手段を備え、
前記制御手段は、前記携帯端末装置のアプリケーションプログラムの実行時間が前記制御内容決定手段により決定された実行時間になるように、前記携帯端末装置を遠隔制御する遠隔制御サーバ。
【請求項３】
請求項２記載の遠隔制御サーバであって、
前記状態情報は、前記トリガ情報送信時点で前記携帯端末装置で実行されているアプリケーションプログラムの種類を示すＩＤ情報を含み、
前記ＩＤ情報に基づいて、前記アプリケーションプログラムの優先度を判定する優先度判定手段を備え、
前記制御内容決定手段は、前記電池残量情報と前記優先度判定手段による判定結果とに基づいて、前記携帯端末装置で実行されているアプリケーションプログラムの実行時間を決定する遠隔制御サーバ。
【請求項４】
請求項１記載の遠隔制御サーバであって、
前記状態情報は、前記トリガ情報送信時点での前記携帯端末装置の通信接続先の情報を示す接続先情報を含み、
前記接続先情報に基づいて、前記携帯端末装置の通信接続先の状態を示す接続先状態情報を取得する接続先状態情報取得手段と、
前記接続先状態情報取得手段により取得した接続先状態情報に応じて、前記携帯端末装置の通信接続先を決定する制御内容決定手段とを備え、
前記制御手段は、前記携帯端末装置の通信接続先が前記制御内容決定手段により決定された接続先になるように、前記携帯端末装置を遠隔制御する遠隔制御サーバ。
【請求項５】
請求項２又は３記載の遠隔制御サーバであって、
前記電池残量情報を記録する電池残量情報記録部と、
前記受信手段により受信した電池残量情報と、前記電池残量情報記録部に記録されている、前回のトリガ情報送信時に受信した前記携帯端末装置の電池残量情報とを比較する比較手段と、
前記比較手段による比較結果に応じて、前記携帯端末装置の次回の遠隔制御を開始するための前記トリガ情報の送信タイミングを決定する送信タイミング決定手段とを備え、
前記送信手段は、前記送信タイミング決定手段により決定された送信タイミングで前記トリガ情報を送信する遠隔制御サーバ。
【請求項６】
請求項１〜４のいずれか記載の遠隔制御サーバであって、
前記状態情報は、前記携帯端末装置の動作履歴情報を含み、
前記動作履歴情報に基づいて、前記携帯端末装置の動作傾向を分析し、当該分析した動作傾向に応じて、前記携帯端末装置の次回の遠隔制御を開始するための前記トリガ情報の送信タイミングを決定する送信タイミング決定手段を備え、
前記送信手段は、前記送信タイミング決定手段により決定された送信タイミングで前記トリガ情報を送信する遠隔制御サーバ。
【請求項７】
請求項６記載の遠隔制御サーバであって、
前記送信タイミング決定手段は、前記分析結果から前記携帯端末装置が使用されていない時間帯を決定し、当該決定した時間帯のいずれかの時間を、前記トリガ情報の送信タイミングとする遠隔制御サーバ。
【請求項８】
請求項１〜７のいずれか記載の遠隔制御サーバであって、
前記遠隔制御の対象となる携帯端末装置が複数存在し、
前記複数の携帯端末装置の各々は、予め定められたユーザが所持する携帯端末装置であって、
前記送信手段は、前記トリガ情報を前記複数の携帯端末装置の各々に送信し、
前記受信手段は、前記複数の携帯端末装置の各々から前記状態情報を受信し、更に、前記複数の携帯端末装置の各々によって取得された、前記ユーザの状態に関するユーザ情報と自装置の周囲の環境に関する周囲環境情報とを受信し、
前記受信手段によって受信した複数のユーザ情報及び周囲環境情報の各々に基づいて、前記複数の携帯端末装置の各々の遠隔制御の優先度を決定する優先度決定手段を備え、
前記制御手段は、前記優先度決定手段によって決定された優先度が閾値を越えた携帯端末装置のみに対し、前記状態情報に基づいた遠隔制御を行う遠隔制御サーバ。
【請求項９】
請求項１記載の遠隔制御サーバであって、
前記受信手段は、前記状態情報に加え、前記携帯端末装置によって取得された、前記携帯端末装置のユーザの状態に関するユーザ情報を受信し、
前記受信手段で受信した状態情報とユーザ情報とに基づいて前記遠隔制御の制御内容を決定する制御内容決定手段を備え、
前記制御手段は、前記制御内容決定手段によって決定された制御内容を実行するための制御信号を生成して前記携帯端末装置に送信する遠隔制御サーバ。
【請求項１０】
請求項１記載の遠隔制御サーバであって、
前記受信手段は、前記状態情報に加え、前記携帯端末装置によって取得された、前記携帯端末装置の周辺環境に関する周辺環境情報を受信し、
前記受信手段で受信した状態情報と周辺環境情報とに基づいて前記遠隔制御の制御内容を決定する制御内容決定手段を備え、
前記制御手段は、前記制御内容決定手段によって決定された制御内容を実行するための制御信号を生成して前記携帯端末装置に送信する遠隔制御サーバ。
【請求項１１】
遠隔制御サーバから所定タイミング毎に遠隔制御を行われる携帯端末装置であって、
前記遠隔制御を開始するためのトリガ情報を前記所定タイミング毎に前記遠隔制御サーバから受信する受信手段と、
前記受信手段で受信したトリガ情報に応じて、自装置の状態を示す状態情報を取得する状態情報取得手段と、
前記状態情報取得手段により取得した状態情報を前記遠隔制御サーバに送信する送信手段とを備える携帯端末装置。
【請求項１２】
請求項１１記載の携帯端末装置であって、
前記状態情報取得手段は、前記状態情報として自装置の電池残量を示す電池残量情報を取得し、
前記電池残量情報は、前記遠隔制御サーバが、前記携帯端末装置で実行されるアプリケーションプログラムの実行時間を決定するための情報である携帯端末装置。
【請求項１３】
請求項１２記載の携帯端末装置であって、
前記状態情報取得手段は、更に、前記状態情報として、前記トリガ情報を受信した時点で、自装置で実行されているアプリケーションプログラムの種類を示すＩＤ情報を取得し、
前記ＩＤ情報は、前記遠隔制御サーバが前記携帯端末装置で実行されるアプリケーションプログラムの実行時間を決定するための情報である携帯端末装置。
【請求項１４】
請求項１１記載の携帯端末装置であって、
前記状態情報取得手段は、前記トリガ情報を受信した時点で、前記状態情報として、自装置が通信している通信接続先を示す接続先情報を取得し、
前記接続先情報は、前記遠隔制御サーバが前記通信接続先の状態に応じて前記携帯端末装置の通信接続先を変更するための情報である携帯端末装置。
【請求項１５】
請求項１２又は１３記載の携帯端末装置であって、
前記電池残量情報は、前記遠隔制御サーバが前記携帯端末装置の次回の遠隔制御を開始するための前記トリガ情報の送信タイミングを決定するための情報である携帯端末装置。
【請求項１６】
請求項１１〜１４のいずれか記載の携帯端末装置であって、
自装置の動作履歴情報を蓄積する動作履歴情報蓄積手段を備え、
前記状態情報取得手段は、前記状態情報として、前記動作履歴情報蓄積手段により蓄積された動作履歴情報を取得し、
前記動作履歴情報は、前記遠隔制御サーバが前記携帯端末装置の動作傾向を求め、前記動作傾向に基づいて次回の遠隔制御を開始するための前記トリガ情報の送信タイミングを決定するための情報である携帯端末装置。
【請求項１７】
請求項１１〜１６のいずれか記載の携帯端末装置であって、
自装置のユーザの状態に関するユーザ情報を取得するユーザ情報取得手段と、
自装置の周辺環境に関する周辺環境情報を取得する周辺環境情報取得手段とを備え、
前記送信手段は、前記状態情報に加え、前記ユーザ情報取得手段により取得したユーザ情報と前記周辺環境情報取得手段により取得した周辺環境情報とを前記遠隔制御サーバに送信し、
前記ユーザ情報及び前記周辺環境情報は、前記遠隔制御サーバが前記携帯端末装置と当該携帯端末装置以外の前記遠隔制御対象となる携帯端末装置とを併せた複数の携帯端末装置のうちのどれを、前記遠隔制御を行う対象とするかを決定するための情報である携帯端末装置。
【請求項１８】
請求項１１記載の携帯端末装置であって、
自装置のユーザの状態に関するユーザ情報を取得するユーザ情報取得手段を備え、
前記送信手段は、前記状態情報に加え、前記ユーザ情報取得手段により取得したユーザ情報を前記遠隔制御サーバに送信し、
前記受信手段は、前記送信手段による前記状態情報及びユーザ情報の送信後に前記遠隔制御サーバから送信されてくる制御信号を受信し、
前記制御信号は、前記遠隔制御サーバで決定された前記遠隔制御の制御内容を実行するための信号であり、
前記状態情報及びユーザ情報は、前記遠隔制御サーバが前記制御内容を決定するための情報である携帯端末装置。
【請求項１９】
請求項１１記載の携帯端末装置であって、
自装置の周辺環境に関する周辺環境情報を取得する周辺環境情報取得手段を備え、
前記送信手段は、前記状態情報に加え、前記周辺環境情報取得手段により取得した周辺環境情報を前記遠隔制御サーバに送信し、
前記受信手段は、前記送信手段による前記状態情報及び周辺環境情報の送信後に前記遠隔制御サーバから送信されてくる制御信号を受信し、
前記制御信号は、前記遠隔制御サーバで決定された前記遠隔制御の制御内容を実行するための信号であり、
前記状態情報及び周辺環境情報は、前記遠隔制御サーバが前記制御内容を決定するための情報である携帯端末装置。
【発明の詳細な説明】
【０００１】
【発明の属する技術分野】
本発明は、携帯端末装置及び該携帯端末装置を遠隔制御する遠隔制御サーバに関する。
【０００２】
【従来の技術】
従来から、有線ネットワーク或いは無線ネットワークを介して、ファクシミリやパーソナルコンピュータ等の端末装置を遠隔制御サーバにより遠隔制御する遠隔制御システムというものが知られている。遠隔制御システムでは、遠隔制御サーバが所定期間毎に、遠隔制御を開始するためのトリガ情報を遠隔制御対象となる端末装置に一斉に送信する。トリガ情報を受けた端末装置では、予め決められた自装置の情報、例えばファームウエアのバージョン情報をトリガ情報の返信として遠隔制御サーバに送信する。遠隔制御サーバは各端末装置から受信した情報を集計し、例えばファームウエアのバージョン情報の更新が必要な端末装置に対して、ファームウエアの情報を変更する遠隔制御を行い、端末装置の遠隔制御を行っている。
【０００３】
又、従来、監視装置が、移動端末の状態を示す状態情報を該移動端末から受信し、その状態情報を履歴として保存し、その履歴と地図情報とをマッチングした移動端末の移動履歴を表示して、移動端末を監視可能にした移動端末監視システムがある（特許文献１参照）。
【０００４】
【特許文献１】
特開２００１−１２９６５号公報
【０００５】
【発明が解決しようとする課題】
しかしながら、上記従来の遠隔制御システムは、制御対象となる全ての端末装置について同様の遠隔制御を行っており、端末装置の状態（電池残量等）に応じた制御を行うといったことはなされていなかった。端末装置が携帯端末装置であった場合、電池残量が少なくなることがあるが、従来のように、電池残量が少ない状態でも、電池残量が多い携帯端末装置と同様に制御が行われているのでは、制御そのものが携帯端末装置にとって余計に電池残量を減らすことになってしまい、携帯端末装置の電源の長寿命化という要求に応えることは難しい。
【０００６】
又、特許文献１記載の移動端末制御システムでは、移動端末の状態情報を制御装置側で取得して、移動端末の監視を行うことができるが、移動端末の状態に応じて該移動端末の遠隔制御を行うといった技術を開示しているものではない。
【０００７】
本発明は、上記事情に鑑みて為されたものであり、制御対象となる携帯端末装置に応じた遠隔制御を行うことが可能な遠隔制御サーバ及び該遠隔制御サーバによって遠隔制御される携帯端末装置を提供することを目的とする。
【０００８】
【課題を解決するための手段】
本発明の遠隔制御サーバは、携帯端末装置の遠隔制御を所定タイミング毎に行う遠隔制御サーバであって、前記携帯端末装置の遠隔制御を開始するためのトリガ情報を前記所定タイミング毎に前記携帯端末装置に送信する送信手段と、前記トリガ情報に応じて前記携帯端末装置から送信されてきた前記携帯端末装置の状態情報を受信する受信手段と、前記受信手段によって受信した状態情報に基づいて、前記携帯端末装置の遠隔制御を行う制御手段とを備える。
【０００９】
この構成により、携帯端末装置の状態に基づいて遠隔制御を行うことができ、効率的な制御が実現できる。
【００１０】
又、本発明の遠隔制御サーバは、前記状態情報が、前記携帯端末装置の電池残量情報を含み、前記電池残量情報に基づいて、前記携帯端末装置で実行されるアプリケーションプログラムの実行時間を決定する制御内容決定手段を備え、前記制御手段は、前記携帯端末装置のアプリケーションプログラムの実行時間が前記制御内容決定手段により決定された実行時間になるように、前記携帯端末装置を遠隔制御する。
【００１１】
この構成により、携帯端末装置の電池残量に基づいて携帯端末装置のアプリケーションプログラムの実行時間を遠隔制御するため、効率的な制御が実現できる。
【００１２】
又、本発明の遠隔制御サーバは、前記状態情報が、前記トリガ情報送信時点で前記携帯端末装置で実行されているアプリケーションプログラムの種類を示すＩＤ情報を含み、前記ＩＤ情報に基づいて、前記アプリケーションプログラムの優先度を判定する優先度判定手段を備え、前記制御内容決定手段は、前記電池残量情報と前記優先度判定手段による判定結果とに基づいて、前記携帯端末装置で実行されているアプリケーションプログラムの実行時間を決定する。
【００１３】
この構成により、例えば、優先度の高い重要なアプリケーションプログラムについては、その実行時間をデフォルトにするよう制御することで、携帯端末装置の動作の信頼性を確保することができる。
【００１４】
又、本発明の遠隔制御サーバは、前記状態情報が、前記トリガ情報送信時点での前記携帯端末装置の通信接続先の情報を示す接続先情報を含み、前記接続先情報に基づいて、前記携帯端末装置の通信接続先の状態を示す接続先状態情報を取得する接続先状態情報取得手段と、前記接続先状態情報取得手段により取得した接続先状態情報に応じて、前記携帯端末装置の通信接続先を決定する制御内容決定手段とを備え、前記制御手段は、前記携帯端末装置の通信接続先が前記制御内容決定手段により決定された接続先になるように、前記携帯端末装置を遠隔制御する。
【００１５】
この構成により、携帯端末装置の接続先情報（例えば、ゲートウェイアドレス等）に対応する接続先の状況（例えば、混雑状況等）に応じて、その通信接続先を別の通信接続先に変更する遠隔制御が可能な為、携帯端末装置が接続するネットワークのパフォーマンスを向上させることができる。
【００１６】
又、本発明の遠隔制御サーバは、前記電池残量情報を記録する電池残量情報記録部と、前記受信手段により受信した電池残量情報と、前記電池残量情報記録部に記録されている、前回のトリガ情報送信時に受信した前記携帯端末装置の電池残量情報とを比較する比較手段と、前記比較手段による比較結果に応じて、前記携帯端末装置の次回の遠隔制御を開始するための前記トリガ情報の送信タイミングを決定する送信タイミング決定手段とを備え、前記送信手段は、前記送信タイミング決定手段により決定された送信タイミングで前記トリガ情報を送信する。
【００１７】
この構成により、携帯端末装置の電池残量の変化に応じて、次回の遠隔制御を行うタイミングを決定するため、携帯端末装置の電池残量を考慮した遠隔制御が可能となる。
【００１８】
又、本発明の遠隔制御サーバは、前記状態情報が、前記携帯端末装置の動作履歴情報を含み、前記動作履歴情報に基づいて、前記携帯端末装置の動作傾向を分析し、当該分析した動作傾向に応じて、前記携帯端末装置の次回の遠隔制御を開始するための前記トリガ情報の送信タイミングを決定する送信タイミング決定手段を備え、前記送信手段は、前記送信タイミング決定手段により決定された送信タイミングで前記トリガ情報を送信する。
【００１９】
この構成により、携帯端末装置の動作傾向に応じて、次回の遠隔制御を行うタイミングを決定するため、携帯端末装置の動作傾向を考慮した遠隔制御が可能となる。
【００２０】
又、本発明の遠隔制御サーバは、前記送信タイミング決定手段が、前記分析結果から前記携帯端末装置が使用されていない時間帯を決定し、当該決定した時間帯のいずれかの時間を、前記トリガ情報の送信タイミングとする。
【００２１】
この構成により、携帯端末装置が使用されていない時間に次回の遠隔制御を行うことができる。
【００２２】
又、本発明の遠隔制御サーバは、前記遠隔制御の対象となる携帯端末装置が複数存在し、前記複数の携帯端末装置の各々は、予め定められたユーザが所持する携帯端末装置であって、前記送信手段は、前記トリガ情報を前記複数の携帯端末装置の各々に送信し、前記受信手段は、前記複数の携帯端末装置の各々から前記状態情報を受信し、更に、前記複数の携帯端末装置の各々によって取得された、前記ユーザの状態に関するユーザ情報と自装置の周囲の環境に関する周囲環境情報とを受信し、前記受信手段によって受信した複数のユーザ情報及び周囲環境情報の各々に基づいて、前記複数の携帯端末装置の各々の遠隔制御の優先度を決定する優先度決定手段を備え、前記制御手段は、前記優先度決定手段によって決定された優先度が閾値を越えた携帯端末装置のみに対し、前記状態情報に基づいた遠隔制御を行う。
【００２３】
この構成により、複数の携帯端末装置の各々に、そのユーザのユーザ情報や周辺の環境情報に基づいて優先度を決定し、優先度が閾値を越えた携帯端末装置のみ制御を行うため、複数の携帯端末装置の各々のユーザが山間部等で遭難にあった場合に、危険度の高いユーザについては優先的に遠隔制御を行って携帯端末装置の消費電力を抑えるようにすることで、救助隊が到着するまでの間に電源が切れてしまうといったことを極力なくすことができる。
【００２４】
本発明の遠隔制御サーバは、前記受信手段が、前記状態情報に加え、前記携帯端末装置によって取得された、前記携帯端末装置のユーザの状態に関するユーザ情報を受信し、前記受信手段で受信した状態情報とユーザ情報とに基づいて前記遠隔制御の制御内容を決定する制御内容決定手段を備え、前記制御手段は、前記制御内容決定手段によって決定された制御内容を実行するための制御信号を生成して前記携帯端末装置に送信する。
【００２５】
この構成により、携帯端末装置の状態とそのユーザの状態とに基づいて遠隔制御を行うことができ、効率的な制御が実現できる。
【００２６】
本発明の遠隔制御サーバは、前記受信手段が、前記状態情報に加え、前記携帯端末装置によって取得された、前記携帯端末装置の周辺環境に関する周辺環境情報を受信し、前記受信手段で受信した状態情報と周辺環境情報とに基づいて前記遠隔制御の制御内容を決定する制御内容決定手段を備え、前記制御手段は、前記制御内容決定手段によって決定された制御内容を実行するための制御信号を生成して前記携帯端末装置に送信する。
【００２７】
この構成により、携帯端末装置の状態とその周辺環境とに基づいて遠隔制御を行うことができ、効率的な制御が実現できる。
【００２８】
本発明の携帯端末装置は、遠隔制御サーバから所定タイミング毎に遠隔制御を行われる携帯端末装置であって、前記遠隔制御を開始するためのトリガ情報を前記所定タイミング毎に前記遠隔制御サーバから受信する受信手段と、前記受信手段で受信したトリガ情報に応じて、自装置の状態を示す状態情報を取得する状態情報取得手段と、前記状態情報取得手段により取得した状態情報を前記遠隔制御サーバに送信する送信手段とを備える。
【００２９】
この構成により、遠隔制御サーバが、携帯端末装置の状態に基づいて携帯端末装置の遠隔制御を行うことが可能となり、効率的な制御が行われる。この結果、携帯端末装置の消費電力を抑えることができる。
【００３０】
又、本発明の携帯端末装置は、前記状態情報取得手段が、前記状態情報として自装置の電池残量を示す電池残量情報を取得し、前記電池残量情報は、前記遠隔制御サーバが、前記携帯端末装置で実行されるアプリケーションプログラムの実行時間を決定するための情報である。
【００３１】
この構成により、携帯端末装置の電池残量に応じてアプリケーションプログラムの実行時間が決定されるため、効率的な制御が行われる。この結果、携帯端末装置の消費電力を抑えることができる。
【００３２】
又、本発明の携帯端末装置は、前記状態情報取得手段が、更に、前記状態情報として、前記トリガ情報を受信した時点で、自装置で実行されているアプリケーションプログラムの種類を示すＩＤ情報を取得し、前記ＩＤ情報は、前記遠隔制御サーバが前記携帯端末装置で実行されるアプリケーションプログラムの実行時間を決定するための情報である。
【００３３】
この構成により、携帯端末装置の電池残量と、携帯端末装置で実行されているアプリケーションプログラムの種類とに応じて、アプリケーションプログラムの実行時間が決定されるため、例えば、重要なアプリケーションプログラムを実行中に、そのアプリケーションプログラムの実行時間が変更される可能性をなくすことができ、携帯端末装置の動作の信頼性を確保することができる。
【００３４】
又、本発明の携帯端末装置は、前記状態情報取得手段が、前記トリガ情報を受信した時点で、前記状態情報として、自装置が通信している通信接続先を示す接続先情報を取得し、前記接続先情報は、前記遠隔制御サーバが前記通信接続先の状態に応じて前記携帯端末装置の通信接続先を変更するための情報である。
【００３５】
この構成により、例えば、携帯端末装置の通信接続先が混雑している場合、遠隔制御サーバからの遠隔制御により、その通信接続先を別の通信接続先に変更することが可能となり、通信を効率的に行うことができる。
【００３６】
又、本発明の携帯端末装置は、前記電池残量情報が、前記遠隔制御サーバが前記携帯端末装置の次回の遠隔制御を開始するための前記トリガ情報の送信タイミングを決定するための情報である。
【００３７】
この構成により、携帯端末装置の電池残量に応じて次回の遠隔制御開始のタイミングが決定されるため、電池残量が少ない場合に遠隔制御サーバからの遠隔制御が行われることによって電池が消耗してしまうといったことを防ぐことができ、携帯端末装置の待受時間等を長くすることが可能となる。
【００３８】
又、本発明の携帯端末装置は、自装置の動作履歴情報を蓄積する動作履歴情報蓄積手段を備え、前記状態情報取得手段は、前記状態情報として、前記動作履歴情報蓄積手段により蓄積された動作履歴情報を取得し、前記動作履歴情報は、前記遠隔制御サーバが前記携帯端末装置の動作傾向を求め、前記動作傾向に基づいて次回の遠隔制御を開始するための前記トリガ情報の送信タイミングを決定するための情報である。
【００３９】
この構成により、携帯端末装置の動作履歴に応じて次回の遠隔制御開始のタイミングが決定されるため、電力消費の大きい時間帯に遠隔制御サーバによって遠隔制御が行われることを防ぐことができる。
【００４０】
又、本発明の携帯端末装置は、自装置のユーザの状態に関するユーザ情報を取得するユーザ情報取得手段と、自装置の周辺環境に関する周辺環境情報を取得する周辺環境情報取得手段とを備え、前記送信手段は、前記状態情報に加え、前記ユーザ情報取得手段により取得したユーザ情報と前記周辺環境情報取得手段により取得した周辺環境情報とを前記遠隔制御サーバに送信し、前記ユーザ情報及び前記周辺環境情報は、前記遠隔制御サーバが前記携帯端末装置と当該携帯端末装置以外の前記遠隔制御対象となる携帯端末装置とを併せた複数の携帯端末装置のうちのどれを、前記遠隔制御を行う対象とするかを決定するための情報である。
【００４１】
この構成により、携帯端末装置のユーザのユーザ情報やその周辺の環境情報に基づいて、遠隔制御を行うべき携帯端末装置が決定されるため、例えば、携帯端末装置を持つユーザが複数存在し、この複数のユーザが山間部等で遭難してしまった場合において、各ユーザに優先度をつけることができ、遭難時等における人命救助に役立てることができる。
【００４２】
本発明の携帯端末装置は、自装置のユーザの状態に関するユーザ情報を取得するユーザ情報取得手段を備え、前記送信手段は、前記状態情報に加え、前記ユーザ情報取得手段により取得したユーザ情報を前記遠隔制御サーバに送信し、前記受信手段は、前記送信手段による前記状態情報及びユーザ情報の送信後に前記遠隔制御サーバから送信されてくる制御信号を受信し、前記制御信号は、前記遠隔制御サーバで決定された前記遠隔制御の制御内容を実行するための信号であり、前記状態情報及びユーザ情報は、前記遠隔制御サーバが前記制御内容を決定するための情報である。
【００４３】
この構成により、遠隔制御サーバが、携帯端末装置の状態に基づいて携帯端末装置の遠隔制御を行うことが可能となり、効率的な制御が行われる。この結果、携帯端末装置の消費電力を抑えることができる。
【００４４】
本発明の携帯端末装置は、自装置の周辺環境に関する周辺環境情報を取得する周辺環境情報取得手段を備え、前記送信手段は、前記状態情報に加え、前記周辺環境情報取得手段により取得した周辺環境情報を前記遠隔制御サーバに送信し、前記受信手段は、前記送信手段による前記状態情報及び周辺環境情報の送信後に前記遠隔制御サーバから送信されてくる制御信号を受信し、前記制御信号は、前記遠隔制御サーバで決定された前記遠隔制御の制御内容を実行するための信号であり、前記状態情報及び周辺環境情報は、前記遠隔制御サーバが前記制御内容を決定するための情報である。
【００４５】
この構成により、遠隔制御サーバが、携帯端末装置の状態に基づいて携帯端末装置の遠隔制御を行うことが可能となり、効率的な制御が行われる。この結果、携帯端末装置の消費電力を抑えることができる。
【００４６】
【発明の実施の形態】
以下、本発明の実施形態について図面を参照して説明する。
本実施形態で説明する遠隔制御システムは、遠隔制御サーバが、制御対象となる少なくとも１つの携帯端末装置から該携帯端末装置の状態を示す状態情報を取得し、取得した状態情報に応じて携帯端末装置の制御内容や制御を行う間隔を決定するものである。
【００４７】
（第一実施形態）
図１は、本発明の第一実施形態に係る遠隔制御システムの構成図である。
遠隔制御システム１００は、携帯電話機網やインターネット等のネットワーク３に接続可能な携帯電話機２及びネットワーク３を介して携帯電話機２の遠隔制御を行う遠隔制御サーバ４を備えて構成される。尚、携帯電話機２は１つに限らず複数あっても良い。又、携帯電話機は無線通信機能を持った携帯端末装置であれば良く、ＰＤＡ（Ｐｅｒｓｏｎａｌ  Ｄｉｇｉｔａｌ  Ａｓｓｉｓｔａｎｔ）やＰＨＳ（Ｐｅｒｓｏｎａｌ  Ｈａｎｄｙ−ｐｈｏｎｅ  Ｓｙｓｔｅｍ）等でも構わない。
【００４８】
携帯電話機２は、通信部２１、制御部２２、電池管理部２３、状態情報取得部２４、携帯電話機設定データ記録部２５、及びアプリケーションプログラム実行部２６を備える。
【００４９】
通信部２１は、遠隔制御サーバ４との間でデータの送受信を行う。電池管理部２３は、携帯電話機２の電池残量を算出する。状態情報取得部２４は、制御部２２からの指示があると、携帯電話機２の状態を示す状態情報として、電池管理部２３で算出された電池残量情報を取得する。
【００５０】
携帯電話機設定データ記録部２５は、携帯電話機２で実行可能なアプリケーションプログラムの動作に関連する情報（アプリケーションプログラムの実行時間、アプリケーションプログラムの起動タイミング等の情報）が記録されている。アプリケーションプログラムの実行時間とは、例えば、アプリケーションプログラム内のタスクがＵＩ資源のリソースを取っている時間の合計である。ＵＩ資源とは、ユーザインタフェイス（Ｕｓｅｒ  Ｉｎｔｅｒｆａｃｅ：ＵＩ）に利用されるハードウエア資源のことである。
【００５１】
アプリケーションプログラム実行部２６は、携帯電話機設定データ記録部２６に記録されている設定データに基づいてアプリケーションプログラムを実行する。
【００５２】
制御部２２は各部を制御する。又、制御部２２は、遠隔制御サーバ４から送信されてくるトリガ情報を通信部２１により受信した際に、状態情報取得部２４に対し電池残量情報を取得するよう指示する。又、制御部２２は、トリガ情報の返信として状態情報取得部２４で取得された電池残量情報を通信部２１から遠隔制御サーバ４に送信する。又、制御部２２は、電池残量情報送信後、遠隔制御サーバ４から送信されてくる制御信号に基づいて、携帯電話機設定データ記録部２５に記録されている設定データを更新する。
【００５３】
遠隔制御サーバ４は、通信部４１、制御部４２、電池情報データベース４３、及び携帯電話機設定データ記録部４５を備える。
【００５４】
通信部４１は、携帯電話機２とのデータの送受信を行う。電池情報データベース４３には、以下に示すような、携帯電話機２のメーカー名とその携帯電話機が使用している電池の種類とを対応付けたテーブルａ、電池の種類とその容量を対応付けたテーブルｂ、及び携帯電話機２の電池残量比率とそれに対する重み数値を対応付けたテーブルｃを有する。
【００５５】
【表１】
2004246811.tif 000003
【００５６】
【表２】
2004246811.tif 000004
【００５７】
【表３】
2004246811.tif 000005
【００５８】
携帯電話機設定データ記録部４５は、携帯電話機２の携帯電話機設定データ記録部２５に記録されているのと同じ設定データが記録されている。尚、携帯電話機設定データ記録部４５に記録されているデータは、制御部４２により更新可能である。又、携帯電話機設定データ記録部４５は遠隔制御サーバ４からアクセス可能であれば良く、ネットワーク３に接続可能な外部サーバ内にあっても良い。この場合、電池情報データベース４３等の遠隔制御サーバ４が取得する他のデータ群についても、上記外部サーバ内にあることが望ましい。
【００５９】
制御部４５は各部を制御するものであり、トリガ情報制御部４２１、制御内容決定部４２２、及び遠隔制御実行部４２３を備える。
【００６０】
トリガ情報制御部４２１は、携帯電話機２の遠隔制御を開始するためのトリガとなるトリガ情報を予め定められた所定タイミング毎（例えば、１２時間間隔）に生成し、生成したトリガ情報を通信部４１から携帯電話機２に対して送信する。制御内容決定部４２２は、携帯電話機２から送信されてきた電池残量情報と、電池情報データベース４５に記録されているデータとに基づいて、例えば、携帯電話機２のアプリケーションプログラムの実行時間を決定し、携帯電話機設定データ記録部４５に記録されているアプリケーションプログラムの実行時間を、決定した実行時間に更新する。
【００６１】
遠隔制御実行部４２３は、携帯電話機設定データ記録部４５に記録されている設定データに基づいて携帯電話機２の遠隔制御を行う。例えば、携帯電話機設定データ記録部４５に記録されている携帯電話機２のアプリケーションプログラムの実行時間がＸ秒に変更された場合、携帯電話機２内の携帯電話機設定データ記録部２５に記録されているアプリケーションプログラムの実行時間の設定データをＸ秒に更新するための制御信号を生成し、生成した信号を通信部４１を介して携帯電話機２に送信する。
【００６２】
以上が、遠隔制御システム１００の各構成要素の説明である。次に、遠隔制御システム１００の処理の流れについて説明する。
図２は、本発明の第一実施形態に係る遠隔制御システムの処理の流れを説明するためのシーケンスチャートである。
【００６３】
遠隔制御サーバ４は、携帯電話機２の遠隔制御を開始する時間になると（Ｓ２０１）、遠隔制御を開始することを示すトリガ情報を携帯電話機２に送信する（Ｓ２０２）。携帯電話機２ではトリガ情報を受信すると、トリガ情報受信時点での自機の電池残量情報を取得し（Ｓ２０３）、取得した電池残量情報をトリガ情報の返信として遠隔制御サーバ４に送信する（Ｓ２０４）。
【００６４】
遠隔制御サーバ４は電池残量情報を受信すると、この電池残量情報と電池情報データベース４３に記録されているデータとに基づいて携帯電話機２の制御内容を決定する（Ｓ２０５）。制御内容決定後、携帯電話機設定データ記録部４５の設定データを更新し（Ｓ２０６）、携帯電話機２の設定データを更新するための制御信号を生成する（Ｓ２０７）。生成した制御信号は携帯電話機２に送信され（Ｓ２０８）、携帯電話機２の制御部２２により設定データが更新される（Ｓ２０９）。携帯電話機２内の設定データ更新後は、その更新後の設定データに基づいて、アプリケーションプログラムが実行される。
【００６５】
次に、Ｓ２０５の制御内容の決定方法の具体例を説明する。
図３は、本発明の第一実施形態に係る遠隔制御システムの遠隔制御サーバにおける制御内容決定処理の流れを説明するためのフローチャートである。尚、ここでは、携帯電話機２がＰ社製のものであり、その電池残量が４２であった場合の例について説明する。
【００６６】
まず、遠隔制御サーバ４は、電池情報データベース４３から携帯電話機２の電池容量情報を取得する（Ｓ３０１）。ここでは、携帯電話機２がＰ社製なので、電池はＡとなり、その容量は１２０である。次に、取得した電池容量と電池残量情報とから電池残量比率を算出する（Ｓ３０２）。ここでは、電池残量比率Ｙ＝（４２／１２０）×１００＝３５％である。
【００６７】
遠隔制御サーバ４は、電池情報データベース４３のテーブルｃを参照して、電池残量比率が５０％より大きければ（Ｓ３０３：ＹＥＳ）、携帯電話機２のアプリケーションプログラムの実行時間を、予め設定されているデフォルトの実行時間の１倍に決定する（Ｓ３０４）。一方、電池残量比率が５０％以下の場合（Ｓ３０３：ＮＯ）、その電池残量比率が２０％以上かどうか判断する。２０％より小さい場合（Ｓ３０５：ＹＥＳ）、携帯電話機２のアプリケーションプログラムの実行時間を、予め設定されているデフォルトの実行時間の０．３倍に決定する（Ｓ３０６）。一方、２０％以上の場合（Ｓ３０５：ＮＯ）、アプリケーションプログラムの実行時間を、予め設定されているデフォルトの実行時間の０．５倍に決定する（Ｓ３０７）。
【００６８】
以上のように本実施形態によれば、遠隔制御サーバ４が携帯電話機２の遠隔制御を開始する際に、携帯電話機２の電池残量情報を取得し、取得した電池残量情報に応じて制御内容を決定する。このため、携帯電話機２の状態に応じた遠隔制御を行うことができ、携帯電話機２の電池残量が少ない場合はアプリケーションプログラムの実行時間を短くして電力消費を抑えるように遠隔制御したり、充分に電池残量がある場合はデフォルトの実行時間に設定したりすることができる。
【００６９】
又、携帯電話機２は、自身の電池残量に応じて遠隔制御サーバ４からの遠隔制御を受けるため、電力消費を抑えることができ、待受時間の延長等の効果を得ることができる。
【００７０】
尚、電池残量比率は遠隔制御サーバ４で算出せずに、携帯電話機２の電池管理部２３で求めておくようにしても良い。この場合は、携帯電話機２は、トリガ情報の返信として電池残量比率の情報を遠隔制御サーバ４に送信する。
【００７１】
（第二実施形態）
本発明の第二実施形態に係る遠隔制御システムでは、遠隔制御サーバ４による制御内容の決定を、電池残量情報だけでなく、携帯電話機２で実行されているアプリケーションプログラムの優先度も考慮して行う構成となっている。
【００７２】
図４は、本発明の第二実施形態に係る遠隔制御システムの構成図である。
本実施形態に係る遠隔制御システム２００は、第一実施形態で説明した携帯電話機２の構成に、携帯電話機２で実行中のアプリケーションプログラムを監視する監視部２７を追加し、第一実施形態で説明した遠隔制御サーバ４の構成に、携帯電話機２で実行可能なアプリケーションプログラムに関する情報を記録するアプリケーションプログラム情報データベース４４（以下、アプリケーションプログラム情報ＤＢという）を追加したものである。図１と同様の構成には同一符号を付して説明を省略する。
【００７３】
監視部２７は、携帯電話機２で実行中のアプリケーションプログラムを監視し、その実行中のアプリケーションプログラムのＩＤ情報を取得する。状態情報取得部２４は、電池残量情報に加え、監視部２７で取得されたＩＤ情報を取得する。制御部２２は、電池残量情報とＩＤ情報とを携帯電話機２の状態情報として通信部２１を介して遠隔制御サーバ４に送信するよう制御する。
【００７４】
アプリケーションプログラム情報ＤＢ４４には、携帯電話機２で実行可能なアプリケーションプログラムのＩＤ情報とそのアプリケーションプログラムの優先度とを対応付けた以下に示すような優先度判定テーブルが記録されている。尚、アプリケーションプログラムの優先度は５段階であり、優先度の最大値は５、最小値は０である。又、アプリケーションプログラム情報ＤＢ４４は、ネットワーク３に接続可能な外部サーバにあっても良い。
【００７５】
【表４】
2004246811.tif 000006
【００７６】
制御内容決定部４２２は、携帯電話機２から受信したＩＤ情報と優先度判定テーブルとに基づいて、携帯電話機２で実行中のアプリケーションプログラムの優先度を判定し、その優先度も考慮して制御内容を決定する。
【００７７】
第二実施形態に係る遠隔制御システム２００の処理の流れは、遠隔制御サーバ４が電池残量情報に加えて、携帯電話機２で実行中のアプリケーションプログラムの優先度を考慮してアプリケーションプログラムの実行時間を決定する以外は第一実施形態と同様である。以下、アプリケーションプログラムの優先度に応じてアプリケーションプログラムの実行時間を決定する例について説明する。
【００７８】
図５は、本発明の第二実施形態に係る遠隔制御システムの遠隔制御サーバにおける制御内容決定処理の流れを説明するためのフローチャートである。図３と同様のフローには同一符号を付して説明を省略する。
【００７９】
遠隔制御サーバ４は、Ｓ３０２で電池残量比率を算出後、受信したＩＤ情報と優先度判定テーブルとに基づいて、携帯電話機２で実行中のアプリケーションプログラムの優先度を判定する（Ｓ５０８）。判定の結果、優先度が最大の５であった場合（Ｓ５０８：ＹＥＳ）、Ｓ３０４へと処理を移行する。一方、優先度が０〜４であった場合（Ｓ５０８：ＮＯ）、Ｓ３０３へと処理を移行する。
【００８０】
以上のように本実施形態によれば、優先度が高い、つまり、携帯電話機２の動作において非常に重要なアプリケーションプログラム（例えば、発信電波の出力制御アプリケーションプログラムやスケジュールアラーム起動アプリケーションプログラム等）が携帯電話機２で実行されている場合には、電池残量に関わらず、そのアプリケーションプログラムの実行時間をデフォルトの時間に決定する。このため、携帯電話機２の電池残量が少ないからといって、重要なアプリケーションプログラムの実行時間を短くしてしまうといった事態を避けることができ、携帯電話機２の動作の信頼性を確保することができる。
【００８１】
尚、Ｓ５０８における優先度の判定処理は、Ｓ２０４で電池残量情報とＩＤ情報とを受信した直後に行うようにしても良い。これにより、優先度が高いアプリケーションプログラムを実行中の携帯電話機２については、電池残量の算出を行わずに制御内容を決定できるため、遠隔制御を開始するまでの時間を短縮することができる。
【００８２】
（第三実施形態）
図６は、本発明の第三実施形態に係る遠隔制御システムの構成図である。図２と同様の構成には同一符号を付して説明を省略する。
【００８３】
本発明の第三実施形態に係る遠隔制御システム３００は、第一又は第二実施形態で説明した遠隔制御システムの遠隔制御サーバ４の構成に、制御内容決定部４２２が算出した電池残量比率を履歴として記録する履歴情報記録部４６を追加したものである。
【００８４】
履歴情報記録部４６には、以下に示すような電池残量情報履歴テーブルが記録される。電池残量情報履歴テーブルには、遠隔制御サーバ４が携帯電話機２の制御を行うためのトリガ情報を送信する度に携帯電話機２から送信されてくる電池残量情報を取得した時間と、取得した電池残量情報に基づいて算出した電池残量比率とが対応付けて記録される。
【００８５】
【表５】
2004246811.tif 000007
【００８６】
次に、本実施形態に係る遠隔制御システム３００の処理の流れについて説明する。
図７は、本発明の第三実施形態に係る遠隔制御システムの処理の流れを説明するためのシーケンスチャートである。図２と同様のシーケンスには同一符号を付して説明を省略する。
【００８７】
遠隔制御サーバ４は、Ｓ２０８で制御信号を送信後、算出した電池残量比率を履歴として履歴情報記録部４６に記録する（Ｓ７１１）。そして、トリガ情報制御部４２１が、履歴情報記録部４６に記録されている電池残量比率の履歴に応じて、次回の遠隔制御開始のタイミング（トリガ情報を携帯電話機２に送信する時刻）を決定する（Ｓ７１２）。
【００８８】
図８は、本発明の第三実施形態に係る遠隔制御システムの遠隔制御サーバの遠隔制御開始タイミング決定処理の流れを説明するためのフローチャートである。
遠隔制御サーバ４は、履歴情報記録部４６に記録されている履歴情報を参照し（Ｓ８０１）、履歴情報のうち、今回記録した電池残量比率の情報と、前回の遠隔制御時に記録した電池残量比率の情報とを比較する。比較の結果、今回の電池残量比率が前回の電池残量比率よりも大きかった場合（Ｓ８０２：ＹＥＳ）、遠隔制御サーバ４は、次回の遠隔制御開始の時刻をデフォルトの時刻（１２時間後）に決定する。
【００８９】
一方、今回の電池残量比率が前回の電池残量比率よりも小さかった場合（Ｓ８０２：ＮＯ）、遠隔制御サーバ４は、更に、今回の電池残量比率が１０％より小さいか否かを判定する。判定の結果、今回の電池残量比率が１０％より大きい場合（Ｓ８０３：ＮＯ）、電池残量比率に対応する重み数値に応じて、次回の遠隔制御開始時刻をデフォルトの時刻よりも後の時刻に決定する。つまり、遠隔制御を行う時間間隔をデフォルトよりも長くする（例：重み１→１２時間後、重み０．５→１８時間後）。
【００９０】
一方、今回の電池残量比率が１０％より小さい場合（Ｓ８０３：ＹＥＳ）、次回の遠隔制御開始時刻を、携帯電話機２の電池がなくなってしまう電池切れ予測時刻に決定する。この電池切れ予測時刻は、携帯電話機２の電池残量が１０％より下回った時点から携帯電話機２の電源が切れるまでの時間を予め統計データとして遠隔制御サーバ４内に記録しておき、この統計データを参照して求める。
【００９１】
以上のように本実施形態によれば、遠隔制御サーバ４が、携帯電話機２の遠隔制御開始時に取得した電池残量情報に基づく電池残量比率を履歴情報記録部４６に記録しておき、前回の遠隔制御時の電池残量比率と今回の遠隔制御時の電池残量比率とに基づいて、次回の遠隔制御開始時刻を決定する。
【００９２】
このため、携帯電話機２の電池残量が少ない場合は、遠隔制御を行う間隔を長くすることで、携帯電話機２の遠隔制御自体が電池を消耗させてしまうといったことが無くなり、待受時間の延長を図ることができる。又、携帯電話機２の電池残量が極端に少ない場合には、その電池残量が最終的になくなってしまうであろう時刻までは遠隔制御を行わないようにするため、携帯電話機２のユーザが、携帯電話機２の電源を切らしたくない状況にある場合に、遠隔制御サーバ４の遠隔制御によって電力が消費され、電源が切れてしまうといったことを無くすことができる。
【００９３】
（第四実施形態）
図９は、本発明の第四実施形態に係る遠隔制御システムの構成図である。図４と同様の構成には同一符号を付して説明を省略する。
図９に示したように、本発明の第四実施形態に係る遠隔制御システム４００は、第一又は第二実施形態で説明した遠隔制御システムの携帯電話機２の構成に、携帯電話機２の動作に関する履歴情報を記録しておく動作履歴情報記録部２８を追加し、遠隔制御サーバ４が、携帯電話機２から送信されてくる動作履歴情報に応じて、次回の遠隔制御開始時刻を決定するようにしたものである。
【００９４】
動作履歴情報記録部２８には、通話履歴情報、不在着信履歴情報、アプリケーションプログラムの使用履歴情報、及び携帯電話機２のキーボタンの押下履歴情報等の携帯電話機２の動作に関する動作履歴情報が記録される。動作履歴情報記録部２８に記録された動作履歴情報は、通信部２１によりトリガ情報を受信した後、状態情報取得部２４により取得され、電池残量情報及びＩＤ情報と共に、携帯電話機２の状態情報として遠隔制御サーバ４に送信される。
【００９５】
遠隔制御サーバ４のトリガ情報制御部４２１は、携帯電話機２から受信した動作履歴情報に基づいて、携帯電話機２の使用傾向を分析し、分析結果に応じて次回の遠隔制御開始時刻を決定する。
【００９６】
次に、本実施形態に係る遠隔制御システム４００の処理の流れについて説明する。
図１０は、本発明の第四実施形態に係る遠隔制御システムの処理の流れを説明するためのシーケンスチャートである。図２と同様のシーケンスには同一符号を付して説明を省略する。図１１は、本発明の第四実施形態に係る遠隔制御システムの遠隔制御サーバで分析された携帯電話機の使用傾向を、縦軸を使用頻度、横軸を時間としてグラフ化したものを示す図である。
【００９７】
携帯電話機２ではトリガ情報を受信すると、トリガ情報受信時点での自機の電池残量情報、ＩＤ情報、及び動作履歴情報を取得し（Ｓ１００３）、取得した電池残量情報、ＩＤ情報、及び動作履歴情報をトリガ情報の返信として遠隔制御サーバ４に送信する（Ｓ１００４）。その後、遠隔制御サーバ４は、Ｓ２０８で制御信号を送信後、携帯電話機２から受信した動作履歴情報に基づいて、携帯電話機２のユーザの携帯電話機２の使用傾向を分析する（Ｓ１０１１）。分析の結果、携帯電話機２の使用傾向は図１１に示したようになっているため、遠隔制御サーバ４は、次回の遠隔制御開始時刻が、ユーザが特に携帯電話機２を使用する時間帯（１２時〜２４時）に設定されているか否か判定する。判定の結果、次回の遠隔制御開始時刻が１２時〜２４時の間に設定されている場合（Ｓ１０１２：ＮＯ）、次回の遠隔制御開始時刻を、ユーザが携帯電話機２を使用していない０時〜１２時までの時間帯のいずれかの時刻に決定する（Ｓ１０１３）。一方、次回の遠隔制御開始時刻が０時〜１２時の間に設定されているときは（Ｓ１０１２：ＹＥＳ）、そのまま処理をＳ２０１へと移行する。
【００９８】
以上のように本実施形態によれば、遠隔制御サーバ４が携帯電話機２の遠隔制御開始時に取得した携帯電話機２の動作履歴情報に基づいて、ユーザの携帯電話機２の使用傾向を分析し、分析結果に応じて、次回の遠隔制御開始時刻を決定する。
【００９９】
このため、ユーザが携帯電話機２を使用していない時間帯のいずれかの時刻を次回の遠隔制御開始時刻とすることで、携帯電話機２の電池があまり消費されていない時間帯に、携帯電話機２の遠隔制御を行うことができる。したがって、携帯電話機２が頻繁に使用されている時間帯に遠隔制御が行われて、携帯電話機２の電源が切れてしまうといったことを防ぎながら、遠隔制御を行うことができる。又、携帯電話機２については、待受時間の延長を図ることが可能となる。
【０１００】
（第五実施形態）
本発明の第五実施形態に係る遠隔制御システムは、第一〜第四実施形態のいずれかで説明した遠隔制御システムにおいて、制御内容として、アプリケーションプログラムの実行時間の変更を行うこと以外に、携帯電話機２が接続中のゲートウェイ（ＧＷ）サーバを、その混雑状況に応じて別のＧＷサーバに切替えるようにしたものである。
【０１０１】
図１２は、本発明の第五実施形態に係る遠隔制御システムの構成図である。図１と同様の構成には同一符号を付して説明を省略する。
本発明の第五実施形態に係る遠隔制御システムは、図１に示した携帯電話機２の構成に接続先監視部２９を追加し、遠隔制御サーバ４の制御部４２の構成にサーバ混雑状況取得部４２４を追加し、更に、遠隔制御システム全体に、ネットワーク３に接続可能な混雑状況監視サーバ７を備えたものである。
【０１０２】
本実施形態に係る携帯電話機２の通信部２１は、あるウェブサーバと通信を行う場合、携帯電話機設定データ記録部２５に記録されているＧＷアドレスに対応するＧＷサーバを経由してウェブサーバと通信を行う。
【０１０３】
接続先監視部２９は、携帯電話機２の接続先を監視し、接続中のＧＷサーバのＧＷアドレス情報を取得する。ここで取得されたＧＷアドレス情報は、通信部２１によりトリガ情報を受信すると、状態情報取得部２４により取得され、電池残量情報と共に携帯電話機２の状態情報として遠隔制御サーバ４に送信される。
【０１０４】
混雑状況監視サーバ７は、ネットワーク３に接続可能なウェブサーバと、そのウェブサーバを中継するＧＷサーバの混雑状況を監視し、その混雑状況を示す混雑状況情報を内部のメモリ等に記録する。
【０１０５】
遠隔制御サーバ４のサーバ混雑状況取得部４２４は、携帯電話機２から受信したＧＷアドレス情報に対応するＧＷサーバの混雑状況情報を混雑状況監視サーバ７から取得する。
【０１０６】
制御内容決定部４２２は、サーバ混雑状況取得部４２４で取得した混雑状況情報に応じて、携帯電話機２の接続先のＧＷサーバのアドレスを別のＧＷサーバのアドレスに決定し、携帯電話機設定データ記録部４５の設定データを更新する。遠隔制御実行部４２３は、更新後の携帯電話機設定データ記録部４５の設定データに基づいて、携帯電話機２の接続先のゲートウェイアドレスを更新するための制御信号を生成し、携帯電話機２に送信する。尚、この制御信号は、携帯電話機２のアプリケーションプログラムの実行時間を更新するための制御信号と同時でも良いし、別々に送信しても良い。
【０１０７】
次に、本実施形態に係る遠隔制御システム５００の処理の流れについて説明する。
図１３は、本発明の第四実施形態に係る遠隔制御システムの処理の流れを説明するためのシーケンスチャートである。図２と同様のシーケンスには同一符号を付して説明を省略する。
【０１０８】
携帯電話機２ではトリガ情報を受信すると（Ｓ２０２）、トリガ情報受信時点での自機の電池残量情報と接続先のＧＷアドレス情報とを取得し（Ｓ１３０３）、取得した電池残量情報と接続先のＧＷアドレス情報をトリガ情報の返信として遠隔制御サーバ４に送信する（Ｓ１３０４）。その後、遠隔制御サーバ４は、Ｓ２０５で、電池残量情報に基づいて制御内容を決定後、携帯電話機２が接続しているＧＷサーバの混雑状況情報を取得する（Ｓ１３１２）。遠隔制御サーバ４は、携帯電話機２が接続しているＧＷサーバが混雑していると判断した場合（Ｓ１３１３：ＹＥＳ）、携帯電話機２の通信接続先のＧＷサーバのアドレスを、当該ＧＷサーバを経由して接続可能なウェブサーバのミラーサーバを中継するＧＷサーバのＧＷアドレスに決定し（Ｓ１３１４）、携帯電話機設定データ記録部４５の設定データを更新する（Ｓ２０６）。そしてＳ２０７で、ＧＷアドレスを更新するための制御信号を生成して携帯電話機２に送信する。制御信号を受信した携帯電話機２では、遠隔制御サーバ４から指定されたＧＷアドレスに対応するＧＷサーバに接続先を切替える（Ｓ１３１５）。
【０１０９】
図１４は、本発明の第五実施形態に係る遠隔制御システムにおいて、携帯電話機の接続先を変更する際の処理の流れを概念的に示した図である。同図に示したように、ネットワーク３にはウェブサーバ４０を中継するＧＷサーバ１０及び２０と、ウェブサーバ４０のミラーサーバであるウェブサーバ５０を中継するＧＷサーバ３０とが接続されている。
【０１１０】
図１４に示したように、遠隔制御サーバ４がトリガ情報を携帯電話機２に送信した際に、携帯電話機２は自機が接続中のＧＷサーバ１０又は２０のＧＷアドレス情報を取得し、遠隔制御サーバ４に送信する。遠隔制御サーバ４では、受信したＧＷアドレス情報に対応するＧＷサーバの混雑状況情報を混雑状況監視サーバ７から取得する。ここでは、ＧＷサーバ１０及び２０が混雑中であるため、携帯電話機２の接続先をＧＷサーバ１０又は２０からＧＷサーバ３０に切替えるように遠隔制御を行う。これにより、携帯電話機２は接続先をＧＷサーバ３０に切替え、ウェブサーバ５０に接続する。
【０１１１】
以上のように本実施形態によれば、遠隔制御サーバ４の制御内容として、携帯電話機２が接続中のＧＷサーバの混雑状況情報に基づいて、携帯電話機２の接続先を切替える。このため、携帯電話機２は、混雑したＧＷサーバ又はウェブサーバへの接続を避けることができるため、ストレスのないウェブ閲覧が可能となる。
【０１１２】
尚、携帯電話機２が複数存在する場合、遠隔制御サーバ４のトリガ情報の送信タイミングは、第三又は第四実施形態で説明したトリガ情報制御部４２１によって決定されたタイミングではなく、混雑状況監視サーバ７から混雑状況情報を受信したときであっても良い。このようにすることで、サーバが混雑しているときのみに、複数の携帯電話機の接続先を変更可能なため、遠隔制御サーバ４にとって無駄な通信を削減することができる。
【０１１３】
又、遠隔制御サーバ４は、混雑状況監視サーバ７から混雑状況情報を受信したときに、遠隔制御対象となる全ての携帯電話機に対してトリガ情報を送信するのではなく、携帯電話機設定データ記録部４５に記録されている各携帯電話機のＧＷアドレス情報と、混雑状況監視サーバ７から受信した混雑状況情報とに基づいて、複数の携帯電話機のうち、混雑しているＧＷサーバのＧＷアドレス情報が設定されている携帯電話機のみに対してトリガ情報を送信するようにしても良い。このようにすることで、混雑しているＧＷサーバに接続するように設定されている携帯電話機にのみトリガ情報が送信されるため、無駄な通信が発生せず、システム全体のパフォーマンスを向上させることができる。
【０１１４】
又、本実施形態では、遠隔制御の具体例として、携帯電話機２で設定されているＧＷアドレス情報を変更する制御について説明したが、ＧＷアドレス情報の変更制御以外に、携帯電話機２の接続先の情報として、携帯電話機２に予め設定されているデフォルトＵＲＬや緊急連絡先電話番号等の変更制御を遠隔制御サーバ４が行うようにしても良い。これは、例えば、災害等の緊急時に、携帯電話機２のユーザが、緊急時に備えて携帯電話機２に予め登録している電話番号（緊急連絡先電話番号）に発信したり、デフォルトのＵＲＬにアクセスして情報を取得したりする状況を想定した場合に効果的である。
【０１１５】
つまり、緊急時には、携帯電話機２の接続先の基地局やサーバ（ＧＷサーバ、ウェブサーバ）が混雑することが予測されるが、本実施形態のように、遠隔制御サーバ４がネットワーク３上のサーバの混雑状況を把握し、その混雑状況に応じて携帯電話機２に設定されている緊急連絡先番号やデフォルトＵＲＬを変更するよう遠隔制御することで、携帯電話機２のユーザは、最も空いている基地局やサーバを介して緊急時の連絡や情報収集が可能となる。これにより、緊急時に、どこにも連絡ができなくなってしまうといった危険性を回避することが可能となる。
【０１１６】
（第六実施形態）
本実施形態の遠隔制御システムは、第一〜第五実施形態のいずれかで説明した携帯電話機２を持つ、予め定めた複数のユーザが山間部等で遭難してしまった状況を想定したものである。図１５は、本発明の第六実施形態に係る遠隔制御システムの構成図である。図１と同様の構成には同一符号を付して説明を省略する。
【０１１７】
本発明の第六実施形態に係る遠隔制御システムは、第一〜第五実施形態で説明した携帯電話機２を複数備え、複数の携帯電話機２の各々の構成に、携帯電話機２のユーザの体温情報等のユーザに関するユーザ情報を取得するユーザ情報取得部３０（体温センサ等）、携帯電話機２の置かれている周囲の気温や気圧等の周辺環境に関する周辺環境情報を取得する周辺環境情報取得部３１（気温・気圧センサ等）とを追加し、遠隔制御サーバ４の構成に、携帯電話機２から受信した各種情報を複数の携帯電話機２毎に記録する情報記録部４７を追加し、制御部４２に優先度判定部４２５を追加したものである。
【０１１８】
ユーザ情報取得部３０で取得されたユーザ情報及び周辺環境情報取得部３１で取得された周辺環境情報は、電池残量情報と共に遠隔制御サーバ４に送信される。
【０１１９】
情報記録部４７には、以下に示すような、状態情報を取得した携帯電話機の機種、その電池残量比率、そのユーザの体温、その周辺の気温等をまとめた情報管理テーブルが記録される。
【０１２０】
【表６】
2004246811.tif 000008
【０１２１】
優先度判定部４２５は、複数の携帯電話機２の各々から受信したユーザ情報及び周辺環境情報を比較し、遠隔制御を優先的に行うべき携帯電話機２を判定する。例えば、情報記録部４７に記録されている情報管理テーブルを参照し、最も体温が低いユーザの所持する携帯電話機２の優先度を最高とする。体温が同じユーザが存在する場合は、電池残量比率が低い方の優先度を高くする。
【０１２２】
優先度判定部４２５による判定結果により、遠隔制御サーバ４のオペレータは、優先度が所定値を超えた携帯電話機２のユーザに対しては、救助隊等を優先的に手配するといった指示を下すことが可能となる。
【０１２３】
遠隔制御実行部４２３は、優先度判定部４２５で遠隔制御を優先的に行うべきと判定された携帯電話機２についてのみ、第一〜第五実施形態のいずれかで示した内容の遠隔制御（アプリケーションプログラムの実行時間の変更やＧＷアドレスの変更）を行ったり、遠隔制御の開始タイミングを変更したり、その携帯電話機２に救援の指示を示したメッセージ情報を送信したりする。
【０１２４】
次に、本実施形態に係る遠隔制御システム６００の処理の流れについて説明する。
図１６は、本発明の第六実施形態に係る遠隔制御システムの処理の流れを説明するためのシーケンスチャートである。図２と同様のシーケンスには同一符号を付して説明を省略する。
【０１２５】
携帯電話機２ではトリガ情報を受信すると、トリガ情報受信時点での自機の電池残量情報、自機のユーザの体温情報、及び自機の周辺の気温・気圧情報を取得し（Ｓ１６０３）、取得した電池残量情報、体温情報、及び気温・気圧情報を、トリガ情報の返信として遠隔制御サーバ４に送信する（Ｓ１６０４）。
【０１２６】
遠隔制御サーバ４は電池残量情報、体温情報、及び気温・気圧情報を受信すると、これらの情報を情報記録部４７に記録する（Ｓ１６０５）。遠隔制御サーバ４では、予め定めたユーザの所持する複数の携帯電話機２の全てからの上記情報を情報記録部４７に記録すると、複数の携帯電話機２の情報の各々を比較して、それぞれの携帯電話機２について優先度を決定する（Ｓ１６０６）。優先度を決定後、優先度が所定値を越えた携帯電話機２に対してのみ、上記情報に含まれる電池残量情報に基づいて制御内容が決定される（Ｓ２０５）。
【０１２７】
以上のように本実施形態によれば、遠隔制御サーバ４が携帯電話機２の遠隔制御開始時に、携帯電話機２に関する情報として、複数の携帯電話機２のユーザの各々に関するユーザ情報を取得し、このユーザ情報と電池残量情報とに基づいて、各携帯電話機又はそのユーザに優先度を付ける。
【０１２８】
このため、優先度が高いユーザ、例えば体温が非常に低下しているユーザに対しては優先的に救助隊を向かわせることができる。又、優先度が高いユーザに対してのみ、携帯電話機２の消費電力を抑えるような制御信号を送信するため、体温が低下しているユーザとの連絡をとるための時間を長く確保することができる。したがって、山間部等での遭難における救助活動を効率的に行うことが可能となる。
【０１２９】
尚、本実施形態では携帯電話機２の電池残量情報、ユーザ情報、及び周辺環境情報を用いて優先度を判定したが、電池残量情報は必ずしも必要ではない。ユーザを救助するという目的のためには、ユーザ情報及び周辺環境情報があれば、ユーザに対する優先度付けを行うことができる。
【０１３０】
又、携帯電話機２に関する情報としては、携帯電話機２に内蔵されたカメラによって撮影された画像情報や携帯電話機２の位置情報を含ませても良い。これにより、携帯電話機２のユーザの置かれている状況をより詳しく知ることができ、優先度付けを精度良く行うことができる。
【０１３１】
又、以上の説明では、遠隔制御サーバ４が、携帯電話機２から送信されてくるユーザ情報及び周辺環境情報等に基づいて各携帯電話機の優先度を決定する構成としたが、携帯電話機２から送信されてくる情報に依存せず、遠隔制御サーバ４側で所定の要件を満たす携帯電話機には全て強制的に優先度を高く設定するようにしても良い。
【０１３２】
又、本実施形態では、遠隔制御実行部４２３が、優先度が閾値を越えた携帯電話機のみに対して遠隔制御を行う構成としたが、この閾値を設けずに、各携帯電話機の優先度をソートして、優先度が高い順番に全ての携帯電話機を遠隔制御するようにしても良い。更に、各携帯電話機の優先度を決定した後は、第一〜第五実施形態で説明したように、各携帯電話機の電池残量情報、即ち、状態情報に基づいて制御内容を決定する構成となっているが、状態情報以外に、周辺環境情報やユーザ情報をも考慮して制御内容を決定して遠隔制御するようにしても良い。以下、この場合の制御例について具体例をあげて説明する。
【０１３３】
＜周辺環境情報を考慮した制御例＞
ここでは、携帯電話機から送信されてくる周辺環境情報として、上記のように携帯電話機２に内蔵されたカメラによって撮影された画像情報が含まれる例について説明する。
１．遠隔制御サーバ４が受信した周辺環境情報に含まれる画像情報に基づく画像の輝度が低い場合（夜間、地下、トンネル等で撮影された場合）：撮影時に携帯電話機に搭載されたストロボを発光させるための制御信号を携帯電話機に送信する。但し、電池残量が少なくなっている場合には、撮影時にストロボを発光させないような制御信号を送信する。
２．遠隔制御サーバ４が受信した周辺環境情報に含まれる画像情報に基づく画像のピントがずれている場合：携帯電話機に搭載されたカメラのピントを制御するための制御信号を携帯電話機に送信する。これも同様、電池残量が少ない場合はピント制御を禁止するような制御信号を送信する。
３．レンズを回転させることが可能な駆動装置が付いているカメラを搭載する携帯電話機から画像情報を受信した場合：携帯電話機に搭載された駆動装置を撮影時に動作させて、カメラのレンズを回転させるための制御信号を送信する。これも同様、電池残量が少ない場合は駆動装置の動作を禁止するような制御信号を送信する。
【０１３４】
以上のような制御を行うことにより、電池残量とカメラで撮影した画像情報（周辺環境情報）とに基づいてカメラの制御を行うことができる。これは、緊急時等でカメラの操作を上手くできないような状況に置かれたユーザ等に効果的である。ユーザが、ストロボ発光やピント合わせ等の細かい設定ができない状況下にあっても、遠隔制御サーバ４からの遠隔制御によりストロボ発光やピント制御を行うことができる。このため、遠隔制御後に再度ユーザがカメラにより撮影を行った場合、より鮮明な画像情報を遠隔制御サーバ４に送信することができ、緊急時のユーザの救助等に役立てることができる。
【０１３５】
又、本実施形態では、遠隔制御サーバ４がユーザ情報及び周辺環境情報を受信した後、各携帯電話機の優先度を決定し、その優先度に基づいて携帯電話機の遠隔制御を行うが、この遠隔制御を行う際に遠隔制御サーバ４から遠隔制御対象の携帯電話機に送信する制御信号として、携帯電話機のアイコンの配置を変更するための変更制御信号（携帯電話機の画面上に、簡単な操作で緊急連絡先に発信できるようなアイコンを生成させるための信号）や携帯電話機の初期画面変更信号（携帯電話機の初期画面を緊急時用の画面に変更させるための信号）等も考えられる。この場合について図１７を参照して説明する。
【０１３６】
図１７は、本発明の第六実施形態に係る携帯電話機の画面表示例を示す図であり、（ａ）は初期画面、（ｂ）は緊急時の優先度が高い場合の画面、（ｃ）は緊急時の優先度が低い場合の画面を示す図である。
図１７に示したように、携帯電話機２の初期画面上には、ゲーム、メール、ブラウザ、カレンダー、メインメニュー、電話帳、及び各種設定等のアイコンが９つ表示される。
【０１３７】
ここでは、災害等の緊急時において、遠隔制御サーバ４によって決定された各携帯電話機の優先度が高い程、その携帯電話機が緊急を要する状況にあるものとする。この場合、遠隔制御サーバ４は、優先度の高い携帯電話機２に対しては、該携帯電話機２の画面を図１７に示した（ａ）から（ｂ）に強制的に変更させるための初期画面変更制御信号を送信する。一方、優先度が低い（すなわち、緊急度が低い）携帯電話機２に対しては、該携帯電話機２の画面を図１７に示した（ａ）から（ｃ）に強制的に変更させるための初期画面変更制御信号を送信する。
【０１３８】
図１７に示した画面（ｂ）及び（ｃ）について説明する。
図１７（ｂ）に示した画面には、緊急連絡発信アイコン、救援状況を知らせるアイコン、及び緊急用の電波を発信していることを示すアイコンが表示される。ユーザは、緊急連絡発信アイコンを選択して決定することで、遠隔制御サーバ４によって変更された緊急連絡先電話番号又は予め設定されている緊急連絡先番号に発信することができる。図１７（ｃ）に示した画面には、緊急時であることを通知する各種アイコン（緊急指定地域の通知アイコン、緊急避難場所の通知アイコン、通行規制の通知アイコン）が表示される。尚、各種アイコンを選択して決定することで、より詳細な情報が表示されるようにしても良い。
【０１３９】
又、遠隔制御対象となる携帯電話機の地理的場所は、およそ、その携帯電話機の送受信する電波をカバーする基地局の位置により把握することができる。このため、携帯電話機２が遠隔制御サーバ４に送信する周辺環境情報に付随して、その携帯電話機２の電波をカバーする基地局の情報も送り、遠隔制御サーバ４では、その基地局の情報も各携帯電話機の優先度を決定する要因の一つにすることが可能である。これにより、所定の基地局がカバーする電波範囲内に位置する携帯電話機にのみ、携帯電話機のアイコンの配置変更や初期画面変更の制御を行うといったことが可能となる。
【０１４０】
＜ユーザ情報を考慮した制御例＞
ここでは、携帯電話機２から送信されてくるユーザ情報として、携帯電話機２のユーザの体温、脈拍等、ユーザの体調に関する情報が含まれる例について説明する。
この場合、遠隔制御サーバ４は、上記ユーザ情報を取得し、所定の要件（例えば、所定の体温以下、脈拍が所定の回数以下）の場合は、ユーザの生命に危機が生じていると判断し、その携帯電話機２の優先度を高くする。遠隔制御サーバ４では、制御内容決定部４２２がユーザ情報に基づいて制御内容を決定し、優先度が閾値以上又は優先度が高い携帯電話機から順に、以下のように決定された内容の遠隔制御を実行するための制御信号を送信する。携帯電話機２は、受信した制御信号に基づいて動作する。
【０１４１】
制御内容：
（１）診療記録ＤＢへアクセスせよ。
（２）診療記録ＤＢから、その携帯電話機２のユーザに関する診療記録情報をダウンロードせよ。
（３）ダウンロード完了したら、ダウンロードされた診療記録情報にその携帯電話機２から誰でもアクセスできるようなアイコンを画面上に表示せよ。
【０１４２】
ここで、診療記録ＤＢとは、携帯電話機２のユーザが所定期間の間に病院で診療を受けた診療記録（病歴、健康診断結果、使用した薬の情報、薬に関するアレルギー情報、及び担当医等の情報）が保持されたデータベースであり、例えばＦＴＰサーバ内のデータベースを利用する。ＦＴＰサーバは、ネットワーク３に接続されており、携帯電話機２からアクセス可能である。遠隔制御サーバ４の遠隔制御実行部４２３は、上記制御信号と共に、ＦＴＰサーバのアドレス情報を携帯電話機２に送信する。
【０１４３】
携帯電話機２は、遠隔制御サーバ４から送信されてきた制御信号に基づいて次のように動作する。
まず、携帯電話機２は、遠隔制御サーバ４から送られてきた、制御内容（１）を実行するための制御信号とＦＴＰサーバのアドレス情報とに基づいて、ＦＴＰサーバ内の診療記録ＤＢに接続を開始する。尚、ＦＴＰサーバのアドレス情報は、予め携帯電話機内に記録されたものであってもよく、その場合、携帯電話機２は遠隔制御サーバ４から上記制御信号を受信したことをトリガとして、予め格納しているアドレス情報に基づいてＦＴＰサーバへの接続を開始する。この際、携帯電話機２とＦＴＰサーバとの間での認証処理を行っても良い。
【０１４４】
携帯電話機２は、診療記録ＤＢにアクセスすると、制御内容（２）を実行するための制御信号に基づいて、診療記録ＤＢから携帯電話機２のユーザに関する診療記録情報をダウンロードする。携帯電話機２は診療記録情報のダウンロードを完了すると、制御内容（３）を実行するための制御信号に基づいて、遠隔制御サーバ４から指定されたアイコンを画面上に表示する。このアイコンには、例えば「○○さんの通院記録はこちらから」等という情報が表示される。携帯電話機２のユーザ又はその周囲の人間は、このアイコンを選択して実行することで、携帯電話機２のユーザの診療記録を画面上で閲覧することができる。
【０１４５】
以上のような遠隔制御を行うことにより、例えば、災害時等に、携帯電話機２のユーザが、普段通院していない病院に搬送された場合でも、治療を担当する医師は、そのユーザを治療するのに有効な情報をユーザの所持する携帯電話機２を用いて容易に取得することができる。又、そのユーザが意識不明になってしまい、自分自身ではその情報を画面上に表示できない場合であっても、遠隔制御サーバ４からの遠隔制御により、誰でも自由にその情報を見られるようにしておくことができる。
【０１４６】
尚、上記の説明では、携帯電話機２の状態情報について触れていないが、例えば、携帯電話機２の電池残量が極端に少ない場合には、上記のような診療記録をダウンロードさせる遠隔制御を行わないように制御する。この場合には、携帯電話機２から送信されてくる状態情報に基づいて、携帯電話機２の電池残量が多くなったと判断した場合に、上記のような診療記録をダウンロードさせる遠隔制御を行うようにすれば良い。
【０１４７】
又、将来の災害時に備えて、携帯電話機２のメモリ等に診療記録情報を恒常的に記録しておくという形態も想定されるが、診療記録情報等は、本来、プライバシーの観点から秘密にしておくべきものであり、携帯電話機２に保持するようにした場合には、その情報が漏洩することも考えられ、好ましいものではない。一方、上記の形態であれば、遠隔制御サーバ４が、ユーザの身に危機が生じていると判断した場合にのみ、そのユーザの診療記録情報を、ユーザの所持する携帯電話機２にダウンロードするように遠隔制御するため、プライバシーの観点からも効果を有する。
【０１４８】
【発明の効果】
本発明によれば、制御対象となる携帯端末装置に応じた遠隔制御を行うことが可能な遠隔制御サーバ及び該遠隔制御サーバによって遠隔制御される携帯端末装置を提供することができる。
【図面の簡単な説明】
【図１】本発明の第一実施形態に係る遠隔制御システムの構成図である。
【図２】本発明の第一実施形態に係る遠隔制御システムの処理の流れを説明するためのシーケンスチャートである。
【図３】本発明の第一実施形態に係る遠隔制御システムの遠隔制御サーバにおける制御内容決定処理の流れを説明するためのフローチャートである。
【図４】本発明の第二実施形態に係る遠隔制御システムの構成図である。
【図５】本発明の第二実施形態に係る遠隔制御システムの遠隔制御サーバにおける制御内容決定処理の流れを説明するためのフローチャートである。
【図６】本発明の第三実施形態に係る遠隔制御システムの構成図である。
【図７】本発明の第三実施形態に係る遠隔制御システムの処理の流れを説明するためのシーケンスチャートである。
【図８】本発明の第三実施形態に係る遠隔制御システムの遠隔制御サーバ４の制御開始タイミング決定処理の流れを説明するためのフローチャートである。
【図９】本発明の第四実施形態に係る遠隔制御システムの構成図である。
【図１０】本発明の第四実施形態に係る遠隔制御システムの処理の流れを説明するためのシーケンスチャートである。
【図１１】本発明の第四実施形態に係る遠隔制御システムの遠隔制御サーバで分析された携帯電話機の使用傾向を、縦軸を使用頻度、横軸を時間としてグラフ化したものを示す図である。
【図１２】本発明の第五実施形態に係る遠隔制御システムの構成図である。
【図１３】本発明の第五実施形態に係る遠隔制御システムの処理の流れを説明するためのシーケンスチャートである。
【図１４】本発明の第五実施形態に係る遠隔制御システムにおいて、携帯電話機の接続先を変更する際の処理の流れを概念的に示した図である。
【図１５】本発明の第六実施形態に係る遠隔制御システムの構成図である。
【図１６】本発明の第六実施形態に係る遠隔制御システムの処理の流れを説明するためのシーケンスチャートである。
【図１７】本発明の第六実施形態に係る携帯電話機の画面表示例を示す図であり、（ａ）は初期画面、（ｂ）は緊急時の優先度が高い場合の画面、（ｃ）は緊急時の優先度が低い場合の画面を示す図である。
【符号の説明】
１００  遠隔制御システム
２  携帯電話機
３  ネットワーク
４  遠隔制御サーバ
２１、４１  通信部
２２、４２  制御部
２３  電池管理部
２４  状態情報取得部
２５、４５  携帯電話機設定データ記録部
２６  アプリケーションプログラム実行部
４２１  トリガ情報制御部
４２２  制御内容決定部
４２３  遠隔制御実行部
４３  電池情報データベース
【図１】
2004246811.tif 000009
【図２】
2004246811.tif 000010
【図３】
2004246811.tif 000011
【図４】
2004246811.tif 000012
【図５】
2004246811.tif 000013
【図６】
2004246811.tif 000014
【図７】
2004246811.tif 000015
【図８】
2004246811.tif 000016
【図９】
2004246811.tif 000017
【図１０】
2004246811.tif 000018
【図１１】
2004246811.tif 000019
【図１２】
2004246811.tif 000020
【図１３】
2004246811.tif 000021
【図１４】
2004246811.tif 000022
【図１５】
2004246811.tif 000023
【図１６】
2004246811.tif 000024
【図１７】
2004246811.tif 000025